(57)【要約】【課題】立体感がある目盛とすることにより良好な意匠性や斬新性を備えた自動車用計器を提供する。【解決手段】計器の中央部に設けた中央文字板４と、この中央文字板４の周囲に配置された周囲文字板５と、前記中央文字板４に光を照射する第１の光源１７と、前記周囲文字板５に光を照射する第２の光源１９と、前記中央文字板４及び周囲文字板５上で回動する指針１１と、この指針１１の回動を駆動する内機９とを備え、前記周囲文字板５上の前記中央文字板４の周囲まで前記中央部から延設されて前記周囲文字板５上で目盛２０を構成する目盛導光部材６を設けた。【選択図】図３
2011039000.tif 000002
【特許請求の範囲】
【請求項１】
計器の中央部に設けた中央文字板と、この中央文字板の周囲に配置された周囲文字板と、前記中央文字板に光を照射する第１の光源と、前記周囲文字板に光を照射する第２の光源と、前記中央文字板及び周囲文字板上で回動する指針と、この指針の回動を駆動する内機とを備え、
前記周囲文字板上の前記中央文字板の周囲まで前記中央部から延設されて前記周囲文字板上で目盛を構成する目盛導光部材を設けたことを特徴とする自動車用計器。
【請求項２】
請求項１記載の自動車用計器であって、
前記目盛導光部材の前記中央部側には、前記第１の光源からの光が入射される入射面を有することを特徴とする自動車用計器。
【請求項３】
請求項１又は２記載の自動車用計器であって、
前記目盛導光部材は、前記中央部から前記中央文字板の周囲まで放射状に延設され、入射された光を先端側に導く複数本の棒目盛と、この棒目盛の先端であって前記中央文字板の外周よりも突出する部位に設けられた目盛表示面とからなることを特徴とする自動車用計器。
【請求項４】
請求項１〜３のいずれか１項に記載の自動車用計器であって、
前記中央文字板は、前記計器の中央部から外周側に向けて広がる光導板と、この光導板の表面に設けられた文字表示面と、前記内機から突出し前記指針が連結される回動軸が挿通される挿通孔とからなることを特徴とする自動車用計器。
【発明の詳細な説明】
【技術分野】
【０００１】
本発明は、スピードメータやエンジン回転計等の自動車用計器に関する。
【背景技術】
【０００２】
自動車用計器においては、意匠向上のために立体性を持たせる工夫がなされている。図５は、特許文献１に記載された立体性を持たせた構造の従来の自動車用計器１００を示す。
【０００３】
自動車用計器１００においては、基板１１１上に半円環状の文字板１２１が取り付けられている。文字板１２１は、基板１１１から立ち上がる形状となっており、ドライバ側の面（上面）が表示面１２５となっている。表示面１２５は、表面が幾分、凹んだ湾曲面となっており、その表面には、文字１２３及び目盛１２４が印刷等により形成されている。
【０００４】
又、基板１１１には、回動駆動される指針１４１が設けられている。指針１４１は、半円環状の文字板１２１の略中央部分に位置した状態で回動し、その回動により文字板１２３及び目盛１２４を指示する。
【０００５】
文字板１２１は、透光性樹脂により形成されており、その端部（左端部）が受光部１２７となっている。受光部１２７は、基板１１１を突き抜けており、この突き抜けた部分が基板１１１の裏側に設けられたＬＥＤ等の光源１３１に対向している。従って、光源１３１からの光により文字板１２１に光が導入されるため、文字板１２１の全体が光ることができる。この場合、指針１４１も図示しない光源から光が導入され、光の導入により文字板１２１と同様に光るように構成されるものである。
【０００６】
このような自動車用計器１００においては、文字板１２１が基板１１１から立ち上がっていることから立体的となっており、この立ち上がり状態で文字板１２１が光るため、文字板１２１全体で立体感を表現するようになっている。
【先行技術文献】
【特許文献】
【０００７】
【特許文献１】特開２００７−７１８２６号公報
【発明の概要】
【発明が解決しようとする課題】
【０００８】
しかしながら、従来の自動車用計器１００では、文字１２３及び目盛１２４がいずれも文字板１２１の表示面１２５に形成されることから、文字１２３及び目盛１２４が一体面（同一面）で視認され、文字１２３に対する目盛１２４の立体感が欠けたものとなる。このような立体感が欠けることにより、良好な意匠性及び斬新性を備えた自動車用計器にならない問題がある。
【０００９】
そこで、本発明は、立体感がある目盛とすることにより良好な意匠性や斬新性を備えた自動車用計器を提供することを目的とする。
【課題を解決するための手段】
【００１０】
請求項１記載の発明の自動車用計器は、計器の中央部に設けた中央文字板と、この中央文字板の周囲に配置された周囲文字板と、前記中央文字板に光を照射する第１の光源と、前記周囲文字板に光を照射する第２の光源と、前記中央文字板及び周囲文字板上で回動する指針と、この指針の回動を駆動する内機とを備え、前記周囲文字板上の前記中央文字板の周囲まで前記中央部から延設されて前記周囲文字板上で目盛を構成する目盛導光部材を設けたことを特徴とする。
【００１１】
請求項２記載の発明は、請求項１記載の自動車用計器であって、前記目盛導光部材の前記中央部側には、前記第１の光源からの光が入射される入射面を有することを特徴とする。
【００１２】
請求項３記載の発明は、請求項１又は２記載の自動車用計器であって、前記目盛導光部材は、前記中央部から前記中央文字板の周囲まで放射状に延設され、入射された光を先端側に導く複数本の棒目盛と、この棒目盛の先端であって前記中央文字板の外周よりも突出する部位に設けられた目盛表示面とからなることを特徴とする。
【００１３】
請求項４記載の発明は、請求項１〜３のいずれか１項に記載の自動車用計器であって、前記中央文字板は、前記計器の中央部から外周側に向けて広がる光導板と、この光導板の表面に設けられた文字表示面と、前記内機から突出し前記指針が連結される回動軸が挿通される挿通孔とからなることを特徴とする。
【発明の効果】
【００１４】
請求項１記載の発明によれば、第１の光源によって中央文字板が光り、第２の光源によって周囲文字板が光るため、中央文字板及び周囲文字板のそれぞれが光った状態となる。このように中央文字板及び周囲文字板の２つの文字板が光るため、良好な光演出を行うことができる。
【００１５】
目盛導光部材は、周囲文字板上において、中央文字板の周囲まで延設して周囲文字板上で目盛を構成する。このため、光っている状態の中央文字板及び周囲文字板に対し、目盛がこれらと上下方向で離れた位置で視認される。これにより、目盛が中央文字板及び周囲文字板と独立して立体的に視認されるため、立体感を有した目盛となり、良好な意匠性や斬新性を備えたものとすることができる。
【００１６】
請求項２記載の発明によれば、請求項１の発明の効果を有するのに加えて、第１の光源からの光が目盛導光部材に入射されるため、目盛導光部材の目盛が光る。このため、目盛にさらに明確な立体感を付与することができる。
【００１７】
請求項３記載の発明によれば、請求項１及び２の発明の効果を有するのに加えて、目盛導光部材が放射状に延設された複数本の棒目盛からなり、それぞれの棒目盛が目盛を表示するため、目盛のそれぞれが異なった表示を行うことができる。このため、目盛の表示態様を多くすることができ、斬新性を向上させることができる。
【００１８】
請求項４記載の発明によれば、中央文字板の光導板に設けられた文字表示面の文字と目盛導光部材の目盛とが立体的に視認される。このため、目盛導光部材の目盛が中央文字板の文字に対して立体感を有した形態となる。
【図面の簡単な説明】
【００１９】
【図１】本発明の一実施形態の自動車用計器を示す正面図である。
【図２】一実施形態の自動車用計器の断面図である。
【図３】一実施形態の自動車用計器の一部を切り欠いた斜視図である。
【図４】一実施形態の自動車用計器の全体の斜視図である。
【図５】従来の自動車用計器の斜視図である。
【発明を実施するための形態】
【００２０】
以下、本発明を図示する実施形態により具体的に説明する。図１は、本発明の一実施形態の自動車用計器１の正面図、図２は、断面図、図３は、一部を切り欠いた斜視図、図４は、全体の斜視図である。
【００２１】
図示する実施形態は、エンジン回転計に適用された自動車用計器１であり、配線板２上にケース３が取り付けられており、ケース３には、中央文字板４、周囲文字板５、目盛導光部材６が取り付けられている。
【００２２】
配線板２は、硬質系基板によって形成されている。図２及び図３に示すように、配線板２の下面には、内機９が取り付けられている。内機９は、配線板２を貫通するように突出した回動軸１２を有しており、回動軸１２には指針１１が取り付けられている。内機９は、回動軸１２を回動させる。そして、回動軸１２の回転によって指針１１が回動する。指針１１は、後述する中央文字板４及び周囲文字板５上で回動し、この回動によってエンジンの回転数を指示する。
【００２３】
ケース３は、配線板２から立設して回動軸１２の周囲を囲む立周壁２１と、立周壁２１の外周端に連設され、立周壁２１から外側に向かって徐々に高くなるように傾斜した傾斜壁２２と、傾斜壁２２の外周端に連設された収容凹部２３とを一体に備えており、全体がホーン状の立体形状に形成されている。立周壁２１の内側から傾斜壁２２の上部にかけて背景板２５が配置されている。なお、この背景板２５は周囲文字板５と一体形成しても良い。
【００２４】
収容凹部２３は、平面から見てリング状に形成されると共に断面Ｕ字形の凹部となっており、その下面が配線板２に当接している。収容凹部２３は、後述する第２の光源１９及び拡散板３４を収容するものである。
【００２５】
収容凹部２３の外周端からは、高く立ち上がった囲い壁２４が連設している。これらの部分からなるケース３は、平面から見て全体が円形のリング状となっている（図１参照）。ケース３は、遮光性を備えた樹脂により形成され光が透過しないようになっている。
【００２６】
ケース３における囲い壁２４には、見返し部材１４が取り付けられている。見返し部材１４は、ケース３から立ち上がっており、全体が黒色等に着色されている。図１に示すように、見返し部材１４は、平面から見て四角形に形成されている。
【００２７】
中央文字板４は、ケース３上に設けられている。中央文字板４はケース３の中央部分に設けられることにより、計器１の中央部に位置している。中央文字板４は、光導板２７を有している。
【００２８】
光導板２７は、ケース３の立周壁２１及び傾斜壁２２に沿った形状に形成されてこれらの上方に配置される。この光導板２７は、ケース３の立周壁２１に沿った内周壁２８と、内周壁２８の外周端に連設され、外側に向かって徐々に高くなるように傾斜した傾斜周壁２９とを有しており、計器１の中央部から外周側に向けて広がったホーン形状となっている。光導板２７は、その傾斜周壁２９がケース３の傾斜壁２２に沿って配置され、中央文字板４がケース３上に固定される。
【００２９】
光導板２７の内周壁２８は、挿通孔３１を有したリング状となっており、挿通孔３１には、内機９から突出した回動軸１２が挿通している。光導板２７は、アクリル樹脂等の透光性樹脂によって形成されるものである。
【００３０】
光導板２７の表面（上面）は、文字表示面３３となっており、文字表示面３３に、「０」、「１」、「２」等の文字（数字）１５が印刷、刻印等によって形成される。図１に示すように、文字１５は、光導板２７の外周部分に等間隔に形成されており、指針１１は、文字１５の形成領域内を回動する。
【００３１】
中央文字板４に対しては、第１の光源１７が配置される。第１の光源１７は、配線板２の上面の中央部分に実装された複数のＬＥＤからなり、それぞれのＬＥＤが中央文字板４に対して光を出射する。第１の光源１７を構成する複数のＬＥＤは、光導板２７の中央部側の端面に臨んでおり、光導板２７の端面に対して光を出射することにより光導板２７を照射する。これにより、中央文字板４が光ることができる。
【００３２】
この実施形態において、ケース３の収容凹部２３は、中央文字板４よりも外周側に位置しており、この収容凹部２３に周囲文字板５が配置される。このように中央文字板４よりも外周側に位置している収容凹部２３に周囲文字板５が配置されることにより、周囲文字板５は中央文字板４の周囲に配置される。
【００３３】
周囲文字板５は、リング形状の板形状となっており、収容凹部２３の上部を覆うように配置される。周囲文字板５は、中央文字板４と同様にアクリル樹脂等の透光性樹脂によって形成される。配線板２には、収容凹部２３に対応するように第２の光源１９が実装される。
【００３４】
第２の光源１９は、複数のＬＥＤからなり、それぞれのＬＥＤが収容凹部２３の内部に位置することにより収容凹部２３に囲まれた状態で配線板２に実装される。複数のＬＥＤからなる第２の光源１９は、光を出射することにより周囲文字板５を照射する。このため、周囲文字板５が光ることができる。この周囲文字板５は、中央文字板４の周囲において、中央文字板４と別個独立して光るように駆動される。
【００３５】
この実施形態では、収容凹部２３に拡散板３４が配置されている。拡散板３４は、周囲文字板５よりも下側に位置するように収容凹部２の内部に設けられている。拡散板３４を設けることにより、第２の光源１９からの光が拡散されるため、中央文字板４が光るよりも弱い感じ（ぼんやりした感じ）となって周囲文字板５が光るようになる。
【００３６】
目盛導光部材６は、中央文字板４と周囲文字板５との間に配置される。図２及び図３に示すように、目盛導光部材６は、放射状に配置された複数本の棒目盛４１によって形成されるものである。
【００３７】
棒目盛４１は、ケース３の立周壁２１に沿った立ち上がり部４３と、立ち上がり部４３に連設され、外側に向かって徐々に高くなるように傾斜した傾斜部４５とによって形成されており、立ち上がり部４３がケース３の立周壁２１に沿って配置されると共に傾斜部４５がケース３の傾斜壁２２に沿って配置された状態で棒目盛４１がケース３に固定される。この場合、棒目盛４１は、中央文字板４よりも下側に位置するようにケース３に固定される。
【００３８】
複数本の棒目盛４１は、計器１の中央部から放射状となって延設され、この延設状態でケース３に固定される。放射状の複数本の棒目盛４１は、計器１の中央部を中心とした円周上で等間隔となっている。
【００３９】
それぞれの棒目盛４１は、アクリル樹脂等の透光性樹脂によって形成されている。棒目盛４１における計器１の中央部側には、立ち上がり部４３の端面が位置しており、この立ち上がり部４３の端面が第１の光源１７に対向することにより、第１光源１７からの光が棒目盛４１に導入される。このため、立ち上がり部４３の端面は、第１の光源１７からの光の入射面４３ａとなっている。このように第１の光源１７から出射する光が入射面４３ａから棒目盛４１に入射するため、棒目盛４１が光ることができる。
【００４０】
複数本の棒目盛４１のそれぞれは、計器１の中央部（中央文字板４の中央）から中央文字板４の周囲まで延設されている。この延設された棒目盛４１の先端は、中央文字板４の外周よりも外側に突出しており、突出部分の表面が目盛表示面４７となっている。図２及び図３に示すように、目盛表示面４７は、中央文字板４及び周囲文字板５の間から外側に突出しており、ドライバによる視認が可能となっている。棒目盛４１が放射状に配置されることから、目盛２０は、計器１の中央部を中心とした円周上で等間隔に形成される。
【００４１】
図２及び図３に示すように、ケース３の立周壁２１の内側に円形板状の平面壁４９が設けられている。平面壁２９は、中央文字板４の内周壁２８及び棒目盛４１の立ち上がり部４３を固定するものである。又、平面壁２９と配線板２の上面との間には、隙間が形成されており、この隙間部分に第１の光源１７が配置されている。
【００４２】
以上の実施形態において、第１の光源１７によって中央文字板４が光り、第２の光源１９によって周囲文字板５が光った状態となる。このように中央文字板４及び周囲文字板５の２つの文字板が光ることにより、良好な光演出を可能とすることができる。さらに、第１の光源１７及び第２の光源１９に対して点灯制御を行うことにより、文字板４，５への照明の有無、照明の時差点灯を行うことができるのに加えて、光源１７，１９の照明部位を任意に点灯することにより装飾性を付与することができる。
【００４３】
これに加えて、目盛導光部材６の棒目盛４１は、先端の目盛表示面４７が中央文字板４及び周囲文字板５の間から中央文字板４の外周よりも突出しており、目盛表示面４７の目盛２０が中央文字板４及び周囲文字板５と上下方向で離れた位置で視認される。このため、目盛導光部材６の目盛２０が中央文字板４及び周囲文字板５とは独立して立体的に視認される。従って、立体感がある目盛とすることができる。これにより良好な意匠性や斬新性を備えたものとすることができる。
【００４４】
又、この実施形態では、第１の光源１７からの光が目盛導光部材６に入射されて目盛導光部材６の目盛２０が光る。このように目盛２０が光ることにより、目盛２０にさらに明確な立体感を付与することができ、視認性が確実に向上する。
【００４５】
さらに、目盛導光部材６が放射状に延設された複数本の棒目盛４１からなり、それぞれの棒目盛４１が目盛２０を有することにより、目盛２０のそれぞれが異なった表示を行うことができる。例えば、特定の目盛２０を異なった色（例えば、白色に対して赤色）で表示することにより、レッドゾーン領域を表示でき、スケールチェンジとしての表示が容易となる。
【００４６】
さらに、又、中央文字板４の文字表示面３３が表示している文字１５と目盛導光部材６の目盛２０とが立体的に視認されるため、目盛導光部材６の目盛２０が中央文字板４の文字１５に対して立体感を有した状態で視認され、斬新性を備えたものとなる。
【００４７】
本発明は、以上の実施形態に限定されることなく、種々変形が可能である。例えば、目盛導光板６としては、複数本の棒目盛４１とすることなく、全体をホーン形状として、その先端を中央文字板４の外周よりも突出させ、この突出部分を目盛表示面とすることができる。この場合には、目盛表示面に対して目盛を等間隔で形成することにより、目盛を中央文字板４及び周囲文字板５の間で立体的に視認することができる。
【符号の説明】
【００４８】
１  自動車用計器
２  配線板
３  ケース
４  中央文字板
５  周囲文字板
６  目盛導光部材
９  内機
１０  指針
１７  第１の光源
１９  第２の光源
２０  目盛
２７  光導板
３１  挿通孔
３３  文字表示面
４１  棒目盛
４７  目盛表示面
【図１】
2011039000.tif 000003
【図２】
2011039000.tif 000004
【図３】
2011039000.tif 000005
【図４】
2011039000.tif 000006
【図５】
2011039000.tif 000007